(57)【要約】【課題】  伝搬遅延のバラツキの発生を防止し、基地局においてＯＣＸＯ等の高安定な水晶発振器を用いることなく、受信感度の向上、同期確立の精度の向上を図ることができる無線システムを提供する。【解決手段】  上位局の無線機４０１からループ状の光回線４０９、それに接続する分波器を介して各基地局の光終端器までの長さを全て同じにし、基地局の監視用受信機１０６が、上位局から送信された送信波を監視し、当該送信波についてタイミング同期処理を行い、周波数ずれを補正した原振信号と基準タイミングとなるフレームタイミング信号を生成し、受信部１０７が、原振信号とフレームタイミング信号に基づき無線端末局からの受信波の受信処理、復調処理、デコード処理を行う無線システムである。【選択図】        図１
2010193205.tif 000002
【特許請求の範囲】
【請求項１】
無線端末局と無線通信する複数の基地局と、前記基地局の各々に接続する光回線と、前記光回線に接続する上位局とを有する無線システムであって、
前記上位局から前記基地局の各々までの前記光回線の長さを同じにしたことを特徴とする無線システム。
【請求項２】
基地局が、上位局から送信された送信波を監視し、当該送信波についてタイミング同期処理を行い、周波数ずれを補正した原振信号と基準タイミングとなるフレームタイミング信号を生成する監視用受信機と、前記生成された原振信号とフレームタイミング信号に基づき無線端末局からの受信波の受信処理、復調処理、デコード処理を行う受信部とを有することを特徴とする請求項１記載の無線システム。
【請求項３】
監視用受信機は、監視する送信波について異常があれば異常検出信号を出力し、
基地局が、前記異常検出信号を上位局に送信する送信部を有することを特徴とする請求項２記載の無線システム。
【発明の詳細な説明】
【技術分野】
【０００１】
本発明は、無線基地局と無線端末局を備える無線システムに係り、特に、伝搬遅延のバラツキの発生を防止し、基地局においてＯＣＸＯ等の高安定な水晶発振器を用いることなく、受信感度の向上、同期確立の精度の向上を図る無線システムに関する。
【背景技術】
【０００２】
［従来の技術］
通常、無線基地局と無線端末局から構成される無線システムにおいて、無線端末局は送受信タイミングを基準タイミングとして動作する。よって、基地局は絶対的なタイミングとして高安定な基準信号が必要であり、周波数温度特性や周波数経時変化において優れている恒温槽付水晶発振器（ＯＣＸＯ：Oven Controlled Crystal Oscillator）が広く採用されている。
【０００３】
一方、無線端末は無線基地局のタイミングに追従し、常に無線基地局のタイミングに同期して送受信を行う必要がある。このため、無線基地局の基準タイミングに合わせて自局の基準タイミングを補正する自動周波数制御（ＡＦＣ：Auto Frequency Control）機能を実装している。
【０００４】
この機能の実現方法の一つとして、無線基地局との周波数のずれを検出し、ずれを小さくするように、局部発信器に電圧制御型温度補償水晶発振器（ＶＣＴＣＸＯ：Voltage Controlled Thermal Compensated Crystal Oscillator）を用いて、基準周波数そのものを制御する方法がある。
【０００５】
一般的に無線基地局はサービスエリア内に１局設置される。大規模なシステムにおいては複数の周波数チャネルが割り当てられ、ＰＤＣ（Personal Digital Cellular）に代表されるように、隣り合うサービスエリアが干渉しないように周波数エリアを配置し、周波数を繰り返し利用するシステムが採用されている。
【０００６】
［サービスエリアの割り当て：図５］
従来のサービスエリアの割り当てについて図５を参照しながら説明する。図５は、３チャネルによるサービスエリアの割り当てを示す図である。
図５に示すように、２０１，２０２，２０３はそれぞれ異なる周波数を示している。それぞれを図４のように割り当てることにより、効率よく周波数を使用することができる。
【０００７】
上記無線システムにおいては、隣り合うセル（サービスエリア）で同一周波数を利用することは行われない。しかしながら、小規模なシステムにおいては、周波数チャネルの割り当てが少ないこともあり、同一周波数の干渉エリアが発生する場合がある。
【０００８】
［同一周波数のサービスエリア：図６］
次に、同一周波数のサービスエリアについて図６を参照しながら説明する。図６は、１チャネルによる基地局のサービスエリアを示す図である。
基地局Ａ３０２のサービスエリア３０５と、基地局Ｂ３０３のサービスエリア３０６と、基地局Ｃ３０４のサービスエリア３０７は、同一の周波数Ｆ１を用いて通信を行っているが、各エリアが重なる部分に干渉エリア３０８，３０９が発生している。
尚、基地局Ａ３０２、基地局Ｂ３０３、基地局Ｃ３０４は、有線で回線制御装置３０１に接続され、回線制御装置３０１が回線制御を行っている。
【０００９】
［関連技術］
尚、関連する先行技術として、特開２００２−０７７０３４号公報「無線システム」（出願人：株式会社日立国際電気）がある（特許文献１）。
特許文献１には、通信品質を保持しながら基地局の通話エリアを拡大し、かつエリア内での通話の断時間の発生を防ぎ、更に１対１の確実な通話を実現する無線システムが示されている。
【先行技術文献】
【特許文献】
【００１０】
【特許文献１】特開２００２−０７７０３４号公報
【発明の概要】
【発明が解決しようとする課題】
【００１１】
しかしながら、上記従来の小規模な無線システムでは、同一周波数が干渉するエリアで異なる無線基地局から同一周波数で送信波を受信することとなるが、複数の基地局が完全に同期したタイミングで動作していても、伝搬遅延により、無線端末が受信する無線基地局の送信波はタイミングのずれによる位相差が発生し、無線端末においては、位相差を伴った複数の同一波を受信するとマルチパスフェージングと呼ばれる干渉障害を発生し、ＢＥＲ（Bit Error Rate）劣化による受信感度の低下や、同期ずれが発生するという問題点があった。
【００１２】
また、上記特許文献１に示す列車無線システムにおいても、上述したように、伝搬遅延のバラツキによる位相差が発生するため、受信感度の向上、同期確立の精度の向上を図る必要がある。
【００１３】
本発明は上記実情に鑑みて為されたもので、伝搬遅延のバラツキの発生を防止し、基地局においてＯＣＸＯ等の高安定な水晶発振器を用いることなく、受信感度の向上、同期確立の精度の向上を図ることができる無線システムを提供することを目的とする。
【課題を解決するための手段】
【００１４】
上記従来例の問題点を解決するための本発明は、無線端末局と無線通信する複数の基地局と、基地局の各々に接続する光回線と、光回線に接続する上位局とを有する無線システムであって、上位局から基地局へ各々までの光回線の長さを同じにしたことを特徴とする。
【００１５】
本発明は、上記無線システムにおいて、基地局が、上位局から送信された送信波を監視し、当該送信波についてタイミング同期処理を行い、周波数ずれを補正した原振信号と基準タイミングとなるフレームタイミング信号を生成する監視用受信機と、生成された原振信号とフレームタイミング信号に基づき無線端末局からの受信波の受信処理、復調処理、デコード処理を行う受信部とを有することを特徴とする。
【００１６】
本発明は、上記無線システムにおいて、監視用受信機が、監視する送信波について異常があれば異常検出信号を出力し、基地局が、異常検出信号を上位局に送信する送信部を有することを特徴とする。
【発明の効果】
【００１７】
本発明によれば、無線端末局と無線通信する複数の基地局と、基地局の各々に接続する光回線と、光回線に接続する上位局とを有し、上位局の送信機から各基地局への光回線の長さを同じにした無線システムとしているので、光回線における伝搬遅延の差をなくすことができる効果がある。
【００１８】
本発明によれば、基地局が、上位局から送信された送信波を監視し、当該送信波についてタイミング同期処理を行い、周波数ずれを補正した原振信号と基準タイミングとなるフレームタイミング信号を生成する監視用受信機と、生成された原振信号とフレームタイミング信号に基づき無線端末局からの受信波の受信処理、復調処理、デコード処理を行う受信部とを有する上記無線システムとしているので、ＯＣＸＯ等の高安定な水晶発振器を用いることなく、受信感度の向上、同期確立の精度の向上を図ることができる効果がある。
【００１９】
本発明によれば、監視用受信機が、監視する送信波について異常があれば異常検出信号を出力し、基地局が、異常検出信号を上位局に送信する送信部を有する上記無線システムとしているので、光回線における異常を検出できる効果がある。
【図面の簡単な説明】
【００２０】
【図１】本発明の第１の実施の形態に係る無線システムの概略図である。
【図２】光終端部から同軸ケーブルまでを示す構成ブロック図である。
【図３】監視用受信機の内部ブロック図である。
【図４】本発明の第２の実施の形態に係る無線システムの概略図である。
【図５】３チャネルによるサービスエリアの割り当てを示す図である。
【図６】１チャネルによる基地局のサービスエリアを示す図である。
【発明を実施するための最良の形態】
【００２１】
本発明の実施の形態について図面を参照しながら説明する。
［実施の形態の概要］
本発明の実施の形態に係る無線システムは、無線端末局と無線通信する複数の基地局と、基地局の各々に接続する光回線と、光回線に接続する上位局とを有し、上位局の送信機から各基地局への光回線の長さを同じにし、基地局が、上位局から送信された送信波を監視し、当該送信波についてタイミング同期処理を行い、周波数ずれを補正した原振信号と基準タイミングとなるフレームタイミング信号を生成する監視用受信機と、生成された原振信号とフレームタイミング信号に基づき無線端末局からの受信波の受信処理、復調処理、デコード処理を行う受信部とを有するものであり、光回線における伝搬遅延の差をなくし、ＯＣＸＯ等の高安定な水晶発振器を用いることなく、受信感度の向上、同期確立の精度の向上を図ることができるものである。
【００２２】
また、本発明の実施の形態に係る無線システムは、基地局における監視用受信機が、監視する送信波について異常があれば異常検出信号を出力し、基地局の送信部が、異常検出信号を上位局に送信するものであり、光回線における異常を検出できるものである。
【００２３】
［第１の無線システム：図１］
本発明の第１の実施の形態に係る無線システム（第１の無線システム）について図１を参照しながら説明する。図１は、本発明の実施の形態に係る無線システムの概略図である。尚、図１では、列車無線システムに適用した場合を示しているが、携帯電話や自動車電話のような一般的な無線システムに適用してもよい。
【００２４】
第１の無線システムは、図１に示すように、送信機４０１と、光終端器Ａ４０２と、光終端器Ｂ４０３と、光終端器Ｃ４０４と、光終端器Ｄ４０５と、基地局Ａ４０６と、基地局Ｂ４０７と、基地局Ｃ４０８と、光回線４０９と、無線端末局４１０と、無線端末局４１１と、漏洩同軸ケーブル（ＬＣＸ：Leakage Coaxial cable）４１２と、端局Ａ４１３と、端局Ｂ４１４と、端局Ｃ４１５と、分波器Ａ４１６と、分波器Ｂ４１７と、分波器Ｃ４１８と、端局装置４１９と、回線制御装置４２０と、統制局４３０とを基本的に有している。
ここで、送信機４０１、端局装置４１９と、回線制御装置４２０と、統制局４３０は、上位局に相当する。
【００２５】
３つの基地局を示したが、光終端器Ａ４０２における光回線４０９の接続端子数の範囲内で基地局は増減可能である。
但し、基地局を１つ増やせば、それに応じて光終端器を増やす必要がある。
また、第１の無線システムの特徴として、送信機４０１から各基地局への光回線は、全て同じ長さになっている。光回線の長さを同じにすることで、等しく伝搬遅延を発生させ、位相差の発生を防いでいる。
【００２６】
具体的には、分波器Ａ４１６，Ｂ４１７，Ｃ４１８で、基地局Ａ４０６，Ｂ４０７，Ｃ４０８に対しての光回線を分岐するが、各分波器から基地局までの光回線の長さを調整することで、送信機４０１から各基地局への距離を等しい長さにしている。
即ち、送信機４０１から分波器までの距離が短い場合には、分波器から基地局の光終端器までの距離を長くし、送信機４０１から分波器までの距離が長い場合には、分波器から基地局の光終端器までの距離を短くして、送信機４０１から各基地局までの光回線の長さを等しくするものである。
【００２７】
［第１の無線システムの各部］
第１の無線システムの各部について具体的に説明する。
送信機４０１は、回線制御装置４２０の制御によって光終端器Ａ４０２を介して各基地局に送信波を送信する。送信機４０１からの送信波は、時分割で送信される。
光終端器Ａ４０２は、送信機４０１からの送信波を電気信号から光信号に変換し、光回線４０９及び分波器Ａ４１６、Ｂ４１７，Ｃ４１８を介して光終端器Ｂ４０３，Ｃ４０４，Ｄ４０５に出力する。
光終端器Ｂ４０３〜光終端器Ｄ４０５は、光終端器Ａ４０２から光回線４０９及び分波器Ａ４１６、Ｂ４１７，Ｃ４１８を介して出力された送信波を光信号から電気信号に変換し、各々接続する基地局Ａ４０６，Ｂ４０７，Ｄ４０８に出力する。
【００２８】
基地局Ａ４０６〜基地局Ｃ４０８は、漏洩同軸ケーブル４１２を接続し、無線端末局４１０，４１１からの無線信号を受信し、端局Ａ４１３，Ｂ４１４，Ｃ４１５及び光回線４０９、端局装置４１９を介して回線制御装置４２０に送信し、送信機４０１からの送信波を、光回線４０９を介して受信し、漏洩同軸ケーブル４１２を介して無線端末局４１０，４１１に送信する。
【００２９】
また、基地局Ａ４０６〜基地局Ｃ４０８は、送信機４０１から受信した信号を基に、高精度な原振信号及びフレームタイミングを再生し、これら信号を用いて無線端末局４１０，４１１からの信号を受信及び復調・デコード処理を行う。
【００３０】
光回線４０９は、ループ状に形成する。
送信機４０１から各基地局の光終端器までの長さは、全て同じになるよう設計されている。このように同じ長さにすることで、光回線毎に発生する伝搬遅延を平等に発生させ、伝搬遅延の差（伝搬遅延のバラツキ）がないようにし、位相差の発生を防止している。
【００３１】
無線端末局４１０，４１１は、列車に搭載される無線装置である。
漏洩同軸ケーブル４１２は、基地局に接続され、無線端末局に対する電波の送受信を行うものである。そして、線路に沿って漏洩同軸ケーブル４１２が設置されることで、漏洩同軸区間が形成される。
【００３２】
回線制御装置４２０は、光回線４０９を介して無線端末局との送受信を行うために、回線制御を行う。回線制御は、時分割で為される。
また、回線制御装置４２０では、無線端末局から定期的に受信データを受信しているため、受信データが定期的に入力されなくなると、該当する光回線４０９は「断」であると判定される。
統制局４３０は、送信データを回線制御装置４２０に出力し、回線制御装置４２０から受信データを入力し、これらデータに基づいて無線システムの統制を行う。
【００３３】
［無線システムの動作］
図１に示すような列車無線システムにおいて、送信する無線基地局（送信機４０１）を１局に限定し、その出力を光終端局Ａ４０２において電気信号から光信号に変換し、遅延のバラツキの少ない光回線４０９に伝送するものである。
【００３４】
第１の無線システムでは、光信号にて伝送された送信波を終端器Ｂ４０３〜Ｄ４０５にて光信号から電気信号に変換し、それぞれ接続される基地局Ａ４０６〜Ｃ４０８を使用してエリアに配置された漏洩同軸ケーブル４１２から無線端末局４１０，４１１に送信する。
光回線４０９はループを組み、送信機から分波器を介した各基地局までの距離が同じ長さとなるように調整する。これにより、ほぼ完全に送信遅延のバラツキをなくすことが可能となる。
【００３５】
［基地局の構成：図２］
次に、第１の無線システムの主に基地局の構成について図２を参照しながら説明する。図２は、光終端器から同軸ケーブルまでを示す構成ブロック図である。
図２に示すように、光終端器１０１と、増幅部１０２と、カプラ１０３と、高周波部（無線部）１０４と、漏洩同軸ケーブル１０５と、監視用無線機１０６と、受信部１０７と、制御部１０８と、送信部１０９と、光終端器１１０とを備えている。
尚、図１で説明した光終端器Ｂ４０３，Ｃ４０４，Ｄ４０５は、光終端器１０１，１１０から構成される。
【００３６】
光終端器１０１は、光回線４０９に接続すると共に基地局に接続し、光回線４０９から入力された送信信号を光信号から電気信号に変換し、増幅部１０２に出力する。
増幅部１０２は、光終端器１０１から入力された信号を増幅し、カプラ１０３に出力する。
カプラ１０３は、増幅部１０２から入力された信号を分岐して高周波部（無線部）１０４と監視用受信機１０６に出力する。
【００３７】
高周波部（無線部）１０４は、カプラ１０３からの信号（送信波）ａを高周波信号に変換して漏洩同軸ケーブル１０５を介して無線端末局に送信する。
漏洩同軸ケーブル１０５は、高周波部１０４に接続し、無線端末局に対するアンテナとして機能する。
【００３８】
監視用無線機１０６は、カプラ１０３からの送信波の一部ｂを入力し、当該信号から高精度な原振信号ｇ及びフレームタイミングｈを生成して受信部１０７に出力する。
また、監視用無線機１０６は、カプラ１０３から信号が入力しなくなると、受信処理ができなくなり、送信波の障害を検出して障害検出信号ｃを制御部１０８に出力する。
【００３９】
受信部１０７は、監視用無線機１０６から高精度な原振信号ｇ及びフレームタイミングｈを入力し、入力された原振信号ｇをクロック信号とし、入力されたフレームタイミングで高周波部１０４から入力される受信波ｉの受信処理、復調処理、デコード処理を行い、受信信号ｅを制御部１０８に出力する。
【００４０】
制御部１０８は、受信部１０７から受信信号ｅを入力し、送信部１０９に出力する。
また、制御部１０８は、監視用受信機１０６から障害検出信号ｃを入力すると、当該信号を送信部１０９に出力する。
【００４１】
また、制御部１０８は、監視用受信機１０６及び受信部１０７に対して正常に動作しているか否かを確認するための確認信号ｄ，ｆを出力し、正常動作であれば正常信号の返信を受け、一定時間内に返信がなければ、異常と判断して送信部１０９に監視用受信機１０６又は受信部１０７、若しくは双方の異常を示す情報を出力する。
【００４２】
送信部１０９は、制御部１０８から入力された信号を、光終端器１１０を介して光回線に送信する。送信される信号は、無線端末局からの信号ｉ、監視用受信機１０６からの障害検出信号ｃ、それに監視用受信機１０６、受信部１０７の異常を示す情報である。
光終端器１１０は、送信部１０９から送信された信号を電気信号から光信号に変換して光回線に出力する。
【００４３】
［基地局の動作］
図１の送信機４０１からの送信波は、光終端器１０１にて光信号が電気信号に変換される。電気信号となった送信波は増幅部１０２にて所定の出力に増幅され、カプラ１０３を経由して通常の送信波ａが高周波部１０４に送られる。その後、高周波部１０４から漏洩同軸ケーブル１０５を通り、各無線端末に向けて送信波が出力される。
【００４４】
ここで、カプラ１０３にて送信波の一部ｂを取り出す。この送信波の一部ｂを監視用受信機１０６にて受信する。監視用受信機１０６は、増幅部１０２の出力、即ち、基地局の送信波を受信するため、無線端末局４１０，４１１で用いられている受信部と同様のものを使用する。監視用受信機１０６は「送信波の一部ｂ」に対して受信処理を行う。
【００４５】
監視用受信機１０６は、後述するように、送信波の一部ｂから高精度な原振信号ｇ及びフレームタイミングｈを生成する。
そして、監視用受信機１０６から出力された高精度な原振信号ｇ及びフレームタイミングｈは、受信部１０７に供給される。受信部１０７では、高精度な原振信号ｇ及びフレームタイミングｈを用いて、高周波部１０４からの受信波ｉの受信及び復調・デコード処理を行う。
【００４６】
また、何らかの障害により送信波の一部ｂが途切れた場合、監視用受信機１０６では受信処理が行えず、同期が破綻する。これにより送信波の障害を検出することができる。送信波が受信できないことを検出した場合、直ちに制御部１０８に情報を送信し、制御部１０８は統制局４３０に対し、障害（光回線４０９の切断）であることを通知する。
【００４７】
［監視用受信機の内部構成：図３］
次に、第１の無線システムにおける基地局内の監視用受信機の内部構成について図３を参照しながら説明する。図３は、監視用受信機の内部ブロック図である。
図３に示すように、監視用受信機は、ブロックアンテナ端５０１と、受信高周波部５０２と、Ａ／Ｄ変換部５０３と、復調部５０４と、チャネルコーデック部５０５と、ＣＰＵ（Central Processing Unit）又はＭＰＵ（Micro Processing Unit）の制御部５０６と、ＶＣＴＣＸＯ５０７と、タイミング再生部５０８と、ＡＦＣ（Automatic Frequency Control）制御部５０９と、原振信号出力インタフェース部５１０と、フレームタイミング出力インタフェース部５１１とを備えている。
【００４８】
［監視用受信機の各部］
ブロックアンテナ端５０１は、カプラ１０３からの送信波の一部ｂを入力する端子である。
受信高周波部５０２は、ブロックアンテナ端５０１から入力された送信波の一部ｂを中間周波数（ＩＦ）に変換して、Ａ／Ｄ変換器５０３に出力する。
【００４９】
Ａ／Ｄ変換部５０３は、受信高周波部５０２からのＩＦ信号に対してアナログ／デジタル変換を行い、サンプリングして復調部５０４に出力する。
復調部５０４は、Ａ／Ｄ変換器５０３から入力されたデジタル信号を復調し、チャネルコーデック部５０５に復調信号を出力する。
また、復調部５０４は、Ａ／Ｄ変換器５０３から入力されるデジタル信号に対してタイミング同期処理を行い、ＶＣＴＣＸＯ５０７から入力される原振信号と比較して周波数のずれを検出し、周波数のずれを調整するための制御データをＡＦＣ制御部５０９に出力する。
【００５０】
チャネルコーデック部５０５は、フレームデータを分解し、デコード処理を行い、元の情報を復元して、復元データをＣＰＵ５０６に出力する。
ＣＰＵ（ＭＰＵ）５０６は、復元データが正常であるか否かを判定する。復元データが異常である場合、または送信波の入力がない場合は、障害検出信号ｃを制御部１０８に出力する。
【００５１】
ＶＣＴＣＸＯ５０７は、ＡＦＣ制御部５０９から入力される制御電圧に応じて発振動作を行い、原振信号を受信高周波部５０２〜ＣＰＵ５０６に出力すると共に、タイミング再生部５０８にも出力する。
原振信号は、各部に対するクロック信号として利用されると共に、復調部５０４において周波数ずれの検出にも用いられる。
【００５２】
タイミング再生部５０８は、分周を行うためのカウンタを備え、ＶＣＴＣＸＯ５０７から入力された原振信号（クロック）を用いて、復調処理で得られた同期タイミングから予め定められた特定時間クロックをカウントしてフレームタイミングを生成し、原振信号を原振信号出力インタフェース部５１０に出力し、フレームタイミングをフレームタイミング出力インタフェース部５１１に出力する。
【００５３】
ＡＦＣ制御部５０９は、復調部５０４から周波数ずれを調整するための制御データを入力し、デジタル／アナログ変換を行い、周波数の自動調整処理（ＡＦＣ処理）を行い、調整用の制御電圧をＶＣＴＣＸＯ５０７に出力する。
原振信号出力インタフェース部５１０は、原振信号を受信部１０７に出力する。
フレームタイミング出力インタフェース部５１１は、フレームタイミングを受信部１０７に出力する。
【００５４】
［監視用受信機の内部の動作］
監視用受信機の内部の動作を説明する。
ブロックアンテナ端５０１から受信した送信波は、受信高周波部５０２にて、高周波信号から中間周波数（ＩＦ）信号に変換される。ＩＦ信号はアナログ／デジタル変換器（Ａ／Ｄ変換器）５０６にてサンプリングされ、デジタル信号となる。
【００５５】
変換されたデジタル信号は、復調部５０４にて復調され、チャネルコーデック部５０５に復元されたフレームデータを渡す。チャネルコーデック部５０５ではフレームデータを分解し、デコード処理を行い、元の情報を復元する。復元された元のデータは制御部５０６に渡され、制御部５０６は当該データに基づいて正常に動作しているか否かを判定する。
【００５６】
ここで、復調部５０４において、タイミング同期の処理を行う。タイミング同期の処理により、受信した送信波に対して、自局の原振周波数にずれがある場合、自局の原振であるＶＣＴＣＸＯ５０７に対し、ずれがなくなるようにＡＦＣ制御部５０９が周波数補正処理（ＡＦＣ処理）を行う。これにより、ＶＣＴＣＸＯ５０７は送信局の送信周波数とずれがなく、高い精度を維持する。
【００５７】
一方、タイミング再生部５０８は、ＡＦＣ処理が行われた、精度の高い原振信号をＶＣＴＣＸＯ５０７から入力し、エア上の基準タイミングであるフレームタイミングを再生する。タイミング再生部５０８は、高精度な原振信号を原振信号出力インタフェース部５１０から、フレームタイミングをフレームタイミング出力インタフェース部５１１から、外部に接続された機器に対し、信号の供給を行う。これら出力信号は、図２における信号ｇと信号ｈに相当する。
【００５８】
［第２の無線システム：図４］
次に、本発明の第２の実施の形態に係る無線システム（第２の無線システム）について図４を参照しながら説明する。図４は、本発明の第２の実施の形態に係る無線システムの概略図である。
第２の無線システムは、図４に示すように、送信機４０１と、光終端器Ａ４０２と、光終端器Ｂ４０３と、光終端器Ｃ４０４と、光終端器Ｄ４０５と、基地局Ａ４０６と、基地局Ｂ４０７と、基地局Ｃ４０８と、光回線４０９と、無線端末局４１０と、無線端末局４１１と、漏洩同軸ケーブル（ＬＣＸ）４１２と、回線制御装置４２０と、統制局４３０とを基本的に有している。
【００５９】
第２の無線システムにおける各部は、第１の無線システムにおける各部と基本的には同様である。第１の無線システムとは相違する点を以下、説明する。
第２の無線システムでは、基地局を１つ増やせば、それに応じて光回線と光終端器を増やす必要がある。
また、第２の無線システムの特徴として、循環する光回線は、全て同じ長さになっている。光回線４０９の長さを同じにすることで、等しく伝搬遅延を発生させ、位相差の発生を防いでいる。
【００６０】
光回線４０９は、ループ状に形成され、基地局の数に対応して設けられている。
光回線４０９は終端局毎にループを組み、いずれの径も同じ長さとなるように調整する。これにより、ほぼ完全に送信遅延のバラツキをなくすことが可能となる。
【００６１】
つまり、送信機４０１側の光終端部Ａ４０２から基地局側の光終端部までの距離（行きの距離）Ｘと当該基地局側の光終端部から送信機４０１側の光終端部Ａ４０２までの距離（帰りの距離）Ｙの合計の長さは、全ての光回線が同じ長さになるよう設計されている。このように同じ長さにすることで、光回線毎に発生する伝搬遅延を平等に発生させ、伝搬遅延の差（伝搬遅延のバラツキ）がないようにし、位相差の発生を防止している。
【００６２】
［実施の形態の効果］
第１，２の無線システムによれば、受信部１０７は監視用受信機１０６から出力される高精度な原振信号とフレームタイミングを得ることができるので、ＯＣＸＯ等の高安定水晶発振器を使用することなく、安定した受信処理を行うことができる効果がある。
【００６３】
また、第１，２の無線システムによれば、監視用受信機１０６で送信波を受信することにより、送信系統に障害が発生した場合は直ちに検出することができる効果がある。
【００６４】
更に、第１，２の無線システムによれば、監視用受信機１０６として無線端末局で利用されている受信機を使用することができるので、既存設備を使用し、安価に上記機能を提供することができる効果がある。
【産業上の利用可能性】
【００６５】
本発明は、伝搬遅延のバラツキの発生を防止し、基地局においてＯＣＸＯ等の高安定な水晶発振器を用いることなく、受信感度の向上、同期確立の精度の向上を図ることができる無線システムに好適である。
【符号の説明】
【００６６】
１０１…光終端器、  １０２…増幅部、  １０３…カプラ、  １０４…高周波部（無線部）、  １０５…漏洩同軸ケーブル、  １０６…監視用無線機、  １０７…受信部、  １０８…制御部、  １０９…送信部、  １１０…光終端器、  ３０１…回線制御装置、  ３０２…基地局Ａ、  ３０３…基地局Ｂ、  ３０４…基地局Ｃ、  ３０５，３０６，３０７…サービスエリア、  ４０１…送信機、  ４０２…光終端器Ａ、  ４０３…光終端器Ｂ、  ４０４…光終端器Ｃ、  ４０５…光終端器Ｄ、  ４０６…基地局Ａ、  ４０７…基地局Ｂ、  ４０８…基地局Ｃ、  ４０９…光回線、  ４１０…無線端末局、  ４１１…無線端末局、  ４１２…漏洩同軸ケーブル、  ４１３…端局Ａ、  ４１４…端局Ｂ、  ４１５…端局Ｃ、  ４１６…分波器Ａ、  ４１７…分波器Ｂ、  ４１８…分波器Ｃ、  ４１９…端局装置、  ４２０…回線制御装置、  ４３０…統制局、  ５０１…ブロックアンテナ端、  ５０２…受信高周波部、  ５０３…Ａ／Ｄ変換部、  ５０４…復調部、  ５０５…チャネルコーデック部、  ５０６…ＣＰＵ（ＭＰＵ）、  ５０７…ＶＣＴＣＸＯ、  ５０８…タイミング再生部、  ５０９…ＡＦＣ制御部、  ５１０…原振信号出力インタフェース部、  ５１１…フレームタイミング出力インタフェース部
【図１】
2010193205.tif 000003
【図２】
2010193205.tif 000004
【図３】
2010193205.tif 000005
【図４】
2010193205.tif 000006
【図５】
2010193205.tif 000007
【図６】
2010193205.tif 000008